(57)【要約】      （修正有）【課題】特定情報、例えばＣＭ等の時間帯における受信側の再生操作を送信側から設定することにより、受信側で省略しないで再生する又は再生を省略することができるディジタル放送送受信システムを提供する。【解決手段】特定情報識別子と特定情報再生回数フィールドとを有する特定情報データを作成する特定情報データ作成手段と、多重手段と、送信手段とを備える送信装置と、データ蓄積手段と、蓄積データ再生手段と、データ分離手段と、映像データ復号手段と、特定情報データ解析手段と、再生回数記憶手段と、特定情報データ解析手段で得られる特定情報再生回数フィールドと再生回数記憶手段が記憶する特定情報再生実行回数とから特定情報の再生又は再生中止を実行するか否か判定する再生判定手段と、該再生判定手段からの出力を受けて映像・音声の再生を制御する再生制御手段と、再生実行回数更新手段とを備える受信装置とから構成される。【選択図】図２
2010141916.tif 000002
【特許請求の範囲】
【請求項１】
特定情報を識別するための特定情報識別子と、
特定情報の再生回数を指定する特定情報再生回数フィールドとを有する特定情報データを作成する特定情報データ作成手段と、
圧縮・符号化された複数の映像データに特定情報データを付加する特定情報データ付加手段と、
特定情報データを付加された複数の映像データ、圧縮・複合化された複数の音声データ、並びに番組情報等の複数の情報データを多重しディジタル多重ストリームとする多重手段と、ディジタル多重ストリームを送信する送信手段とを備える送信装置と、
送信されるディジタル多重ストリームの中から少なくとも所望の１番組分のディジタル多重ストリームを蓄積するデータ蓄積手段と、
該データ蓄積手段で蓄積された情報データを再生する蓄積データ再生手段と、
該蓄積データ再生手段で再生された情報データを映像データ、音声データ、及び番組情報データに分離するデータ分離手段と、
該データ分離手段で分離された映像データを復号する映像データ復号手段と、
該映像データ復号手段で復号された映像データから特定情報データを解析する特定情報データ解析手段と、
特定情報識別子に関して既に実行された再生回数である特定情報再生実行回数を記憶する再生回数記憶手段と、
特定情報データ解析手段で得られる特定情報再生回数フィールドと再生回数記憶手段が記憶する特定情報再生実行回数とから特定情報の再生又は再生中止を実行するか否か判定する再生判定手段と、
該再生判定手段からの出力を受けて映像・音声の再生を制御する再生制御手段と、再生判定手段からの出力を受けて再生回数記憶手段が記憶する特定情報再生実行回数を更新する再生実行回数更新手段とを備える受信装置と、
を具備し、送信装置で特定情報再生回数フィールドを設定することにより、受信装置の特定情報の確実な再生又は再生中止を可能とすることができるディジタル放送送受信システム。
【請求項２】
請求項１記載のディジタル放送送受信システムにおいて、
上記特定情報はＣＭ情報であり、特定情報識別子はＣＭ情報識別子であり、特定情報再生回数フィールドはＣＭ情報再生回数フィールドであり、特定情報データはＣＭ情報データであり、特定情報データ作成手段はＣＭ情報データ作成手段であり、特定情報データ付加手段はＣＭ情報データ付加手段であり、特定情報データ解析手段はＣＭ情報データ解析手段であり、特定情報再生実行回数はＣＭ情報再生実行回数であり、そして、特定情報再生実行回数はＣＭ情報再生実行回数であることを特徴とするディジタル放送送受信システム。
【請求項３】
請求項２記載のディジタル放送送受信システムにおいて、
上記送信装置は、ＣＭ情報再生回数フィールドとして正の整数Ｎを指定し、
上記受信装置は、再生判定手段が、再生回数記憶手段から出力されるＣＭ情報再生実行回数がＣＭ情報情報解析手段から出力されたＣＭ情報再生回数フィールドＮより小さい場合に、ＣＭ情報を再生すべきであると判定し、再生制御手段がＣＭ情報の再生を実行するよう制御し、再生実行回数更新手段が再生回数記憶手段におけるＣＭ情報再生実行回数を１だけ加算することにより、ＣＭ情報の確実な再生を可能とすることを特徴とするディジタル放送送受信システム。
【請求項４】
請求項２又は３に記載のディジタル放送送受信システムにおいて、
上記送信装置は、ＣＭ情報データ作成手段が、ＣＭ情報の再生の有効期限である再生有効期限を有するＣＭ情報データを作成し、
上記受信装置は、ＣＭ情報データ解析手段が再生有効期限を検出し、また、再生判定手段が、再生有効期限データの出力を受け、かつ、番組データを再生した日時がＣＭ情報の再生の有効期限より経過していると、その番組の再生禁止と判断し、更に、再生制御手段が番組再生禁止とするよう制御することにより、ＣＭ情報の再生の有効期限が経過した時点で番組の再生の実行を禁止することができることを特徴とするディジタル放送送受信システム。
【請求項５】
請求項２又は３に記載のディジタル放送送受信システムにおいて、
上記送信装置は、ＣＭ情報データ作成手段が、ＣＭ情報の再生の有効期限である再生有効期限を有するＣＭ情報データを作成し、
上記受信装置は、ＣＭ情報データ解析手段が再生有効期限を検出し、また、再生判定手段が、再生有効期限データの出力を受け、かつ、番組データを再生した日時がＣＭ情報の再生の有効期限より経過していると、そのＣＭ情報の再生中止と判断し、更に、再生制御手段がＣＭ情報の再生中止及びその番組の再生禁止の解除とするよう制御することにより、ＣＭ情報の再生の有効期限が経過した時点でＣＭ情報の再生中止とすることができることを特徴とするディジタル放送送受信システム。
【請求項６】
請求項２〜５のいずれか１項に記載のディジタル放送送受信システムにおいて、
上記ＣＭ情報データは、ユーザデータ識別子、ＣＭ識別子、ＣＭ再生回数及びＣＭ再生有効期限を有するユーザデータであることを特徴とするディジタル放送送受信システム。
【請求項７】
ＣＭ情報を識別するためのＣＭ情報識別子とＣＭ情報の再生回数を指定するＣＭ情報再生回数フィールドとを有するＣＭ情報データを作成するＣＭ情報データ作成手段と、
圧縮・符号化された複数の映像データにＣＭ情報データを付加するＣＭ情報データ付加手段と、
ＣＭ情報データを付加された複数の映像データ、圧縮・複合化された複数の音声データ、並びに番組情報等の複数の情報データを多重しディジタル多重ストリームとする多重手段と、
ディジタル多重ストリームを送信する送信手段とを備え、受信側のＣＭ情報の確実な再生又は再生中止を可能とすることができるディジタル放送用送信装置。
【請求項８】
ＣＭ情報を識別するためのＣＭ情報識別子とＣＭ情報の再生回数を指定するＣＭ情報再生回数フィールドとを有するＣＭ情報データを含む複数の映像データ、複数の音声データ、番組情報等を含む複数の情報データをディジタル多重ストリームに多重して送信し、受信するディジタル放送送受信システムに使用される受信装置において、
送信されるディジタル多重ストリームの中から少なくとも所望の１番組分のディジタル多重ストリームを蓄積するデータ蓄積手段と、
該データ蓄積手段で蓄積された情報データを再生する蓄積データ再生手段と、該蓄積データ再生手段で再生された情報データを映像データ、音声データ、及び番組情報データに分離するデータ分離手段と、
該データ分離手段で分離された映像データを復号する映像データ復号手段と、
該映像データ復号手段で復号された映像データからＣＭ情報データを解析するＣＭ情報データ解析手段と、
ＣＭ情報識別子に関して既に実行された再生回数であるＣＭ情報再生実行回数を記憶する再生回数記憶手段と、
ＣＭ情報データ解析手段で得られるＣＭ情報再生回数フィールドと再生回数記憶手段が記憶するＣＭ情報再生実行回数とからＣＭ情報の再生を実行するか否か判定する再生判定手段と、
該再生判定手段からの出力を受けて映像・音声の再生の実行を制御する再生制御手段と、
再生判定手段からの出力を受けて再生回数記憶手段が記憶するＣＭ情報再生実行回数を更新する再生実行回数更新手段とを備え、送信側で付加されたＣＭ情報データを解析し、その解析結果からＣＭ情報の確実な再生又は再生中止を可能とすることを特徴とするディジタル放送用受信装置。
【請求項９】
ＣＭ情報を識別するためのＣＭ情報識別子とＣＭ情報の再生回数を指定するＣＭ情報再生回数フィールドとを有するＣＭ情報データを含む複数の映像データ、複数の音声データ、番組情報等を含む複数の情報データをディジタル多重ストリームに多重し、送信し受信するディジタル放送送受信システムに使用される受信機内蔵テレビ装置において、
データ分離回路と、データ蓄積メディアと、制御ブロックと、判定結果記憶ブロックと、
ＣＭ情報再生判定ブロックと、ユーザデータ解析ブロックと、映像復号回路と、音声復号回路と、を備え、送信側で付加されたＣＭ情報データを解析し、その解析結果からＣＭ情報の確実な再生又は再生中止を可能とすることを特徴とする受信機内蔵テレビ装置。
【請求項１０】
ＣＭ情報を識別するためのＣＭ情報識別子とＣＭ情報の再生回数を指定するＣＭ情報再生回数フィールドとを有するＣＭ情報データを作成するＣＭ情報作成手段と、ＣＭ情報作成手段で作成された複数のＣＭ情報データ、圧縮・符号化された複数の映像・音声データ、並びに番組情報等の複数の情報データを多重しディジタル多重ストリームとする多重手段と、ディジタル多重ストリームを送信する送信手段とを備える送信装置と、
送信されるディジタル多重ストリームの中から少なくとも所望の１番組分のディジタル多重ストリームを蓄積するデータ蓄積手段と、該データ蓄積手段で蓄積された情報データを再生する蓄積データ再生手段と、該蓄積データ再生手段で再生された情報データをＣＭ情報データ、映像データ、音声データ、情報データに分離するデータ分離手段と、該データ分離手段で分離されたＣＭ情報データを解析するＣＭ情報データ解析手段と、ＣＭ情報識別子に関して既に実行された再生回数であるＣＭ情報再生実行回数を記憶する再生回数記憶手段と、ＣＭ情報解析手段で得られるＣＭ情報再生回数フィールドと再生回数記憶手段が記憶するＣＭ情報再生実行回数とを比較し、ＣＭ情報の再生又は再生中止を実行するか否か判定する再生判定手段と、該再生判定手段からの出力を受けて映像・音声の再生の実行を制御する再生制御手段と、再生判定手段からの出力を受けて再生回数記憶手段が記憶するＣＭ情報再生実行回数を更新する再生実行回数更新手段とを備える受信装置と、
を具備し、受信装置のＣＭ情報の確実な再生又は再生中止を可能とするディジタル放送送受信システム。
【請求項１１】
請求項１０記載のディジタル放送送受信システムにおいて、
上記ＣＭ情報データは、ＣＭ情報挿入タイミング情報を有することを特徴とするディジタル放送送受信システム。
【請求項１２】
請求項１１又は１２に記載のディジタル放送送受信システムにおいて、
上記ＣＭ情報データは、ディスクリプタタグ、ＣＭ識別子、ＣＭ再生回数及びＣＭ再生有効期限を有するＣＭ情報ディスクリプタタグであることを特徴とするディジタル放送送受信システム。
【請求項１３】
ＣＭ情報を識別するためのＣＭ情報識別子とＣＭ情報の再生回数を指定するＣＭ情報再生回数フィールドとを有するＣＭ情報データを作成するＣＭ情報作成手段と、ＣＭ情報作成手段で作成された複数のＣＭ情報データ、圧縮・符号化された複数の映像・音声データ、並びに番組情報等の複数の情報データを多重しディジタル多重ストリームとする多重手段と、ディジタル多重ストリームを送信する送信手段とを備え、受信側のＣＭ情報の確実な再生又は再生中止を可能とすることができるディジタル放送用送信装置。
【請求項１４】
請求項１３記載のディジタル放送用送信装置において、
上記ＣＭ情報データは、ＣＭ情報挿入タイミング情報を有することを特徴とするディジタル放送用送信装置。
【請求項１５】
ＣＭ情報を識別するためのＣＭ情報識別子とＣＭ情報の再生回数を指定するＣＭ情報再生回数フィールドとを有する複数のＣＭ情報データ、複数の映像データ、複数の音声データ、番組情報等を含む複数の情報データをディジタル多重ストリームに多重して送信し、受信するディジタル放送送受信システムに使用される受信装置おいて、
送信されるディジタル多重ストリームの中から少なくとも所望の１番組分のディジタル多重ストリームを蓄積するデータ蓄積手段と、
該データ蓄積手段で蓄積された情報データを再生する蓄積データ再生手段と、
該蓄積データ再生手段で再生された情報データをＣＭ情報データ、映像データ、音声データ、情報データに分離するデータ分離手段と、
該データ分離手段で分離されたＣＭ情報データを解析するＣＭ情報データ解析手段と、
ＣＭ情報識別子に関して既に実行された再生回数であるＣＭ情報再生実行回数を記憶する再生回数記憶手段と、
ＣＭ情報データ解析手段で得られたＣＭ情報再生回数フィールドと再生回数記憶手段が記憶するＣＭ情報再生実行回数とからＣＭ情報の再生を実行するか否か判定する再生判定手段と、
該再生判定手段からの出力を受けて映像・音声の再生の実行を制御する再生制御手段と、
再生判定手段からの出力を受けて再生回数記憶手段が記憶するＣＭ情報再生実行回数を更新する再生実行回数更新手段とを備え、送信されるＣＭ情報データを解析し、その解析結果からＣＭ情報の確実な再生又は再生中止を可能とすることを特徴とするディジタル放送用受信装置。
【請求項１６】
ＣＭ情報を識別するためのＣＭ情報識別子とＣＭ情報の再生回数を指定するＣＭ情報再生回数フィールドとを有するＣＭ情報データを作成するＣＭ情報データ作成手段と、
該ＣＭ情報データ作成手段で作成された複数のＣＭ情報データ、圧縮・符号化された複数の映像・音声データ、並びに番組情報等の複数の情報データを多重する多重手段と、ディジタル多重ストリームを送信する送信手段と、を備える送信装置と、
送信されるディジタル多重ストリームの中から少なくとも所望の１番組分のディジタル多重ストリームを蓄積するデータ蓄積手段と、
該データ蓄積手段で蓄積された情報データを再生する蓄積データ再生手段と、
該蓄積データ再生手段で再生された情報データをＣＭ情報データ、映像データ、音声データ、情報データに分離するデータ分離手段と、
該データ分離手段で分離されたＣＭ情報データを解析するＣＭ情報データ解析手段と、
該ＣＭ情報データ解析手段から出力されたＣＭ情報再生回数フィールドが０より大きいか否かを判断し、ＣＭ情報の再生を実行するか否か判定するＣＭ情報再生判定手段と、
該ＣＭ情報再生判定手段からの出力を受けて映像・音声の再生の実行を制御する再生制御手段と、
ＣＭ情報再生判定手段からの出力を受けてデータ蓄積手段において保存されているＣＭ情報再生回数フィールドを更新するＣＭ情報再生回数フィールド更新手段とを備え、ＣＭ情報データを解析し、その解析結果からＣＭ情報の確実な再生又は再生中止を可能することができることを特徴とするディジタル放送送受信システム。
【請求項１７】
請求項１６記載のディジタル放送送受信システムにおいて、
上記ＣＭ情報データは、セクションヘッダ、ＣＭ情報識別子、ＣＭ再生回数及びＣＭ再生有効期限を有するＣＭ情報テーブルを有するＣＭ情報テーブルであることを特徴とするディジタル放送送受信システム。
【請求項１８】
Ｍ情報を識別するためのＣＭ情報識別子とＣＭ情報の再生回数を指定するＣＭ情報再生回数フィールドとを有する複数のＣＭ情報データ、複数の映像データ、複数の音声データ、番組情報等を含む複数の情報データをディジタル多重ストリームに多重して送信し、受信するディジタル放送送受信システムに使用される受信装置において、
送信されるディジタル多重ストリームの中から少なくとも所望の１番組分のディジタル多重ストリームを蓄積するデータ蓄積手段と、
該データ蓄積手段で蓄積された情報データを再生する蓄積データ再生手段と、該蓄積データ再生手段で再生された情報データをＣＭ情報データ、映像データ、音声データ、情報データに分離するデータ分離手段と、
該データ分離手段で分離されたＣＭ情報データを解析するＣＭ情報データ解析手段と、
該ＣＭ情報データ解析手段から出力されたＣＭ情報再生回数フィールドが０より大きいか否かを判断し、ＣＭ情報の再生を実行するか否か判定するＣＭ情報再生判定手段と、
該ＣＭ情報再生判定手段からの出力を受けて映像・音声の再生の実行を制御する再生制御手段と、ＣＭ情報再生判定手段からの出力を受けてデータ蓄積手段において保存されているＣＭ情報再生回数フィールドを更新するＣＭ情報再生回数フィールド更新手段とを備え、ＣＭ情報データを解析し、その解析結果からＣＭ情報の確実な再生又は再生中止を可能とすることができることを特徴とするディジタル放送用受信装置。
【請求項１９】
請求項１８記載のディジタル放送用受信装置において、
上記ＣＭ情報再生回数フィールドは、正の整数Ｎであり、
上記ＣＭ情報再生判定手段は、ＣＭ情報データ解析手段から出力されたＣＭ情報再生回数フィールドが０より大きいことを判定し、再生制御手段ではＣＭ情報の再生の実行を制御し、ＣＭ情報再生回数フィールド更新手段で、データ蓄積手段において保存されているＣＭ情報再生回数フィールドをＮ−１に更新することにより、ＣＭ情報再生回数フィールドでＣＭ情報の確実な再生又は再生中止を可能とすることを特徴とするディジタル放送用受信装置。
【請求項２０】
ＣＭ情報を識別するためのＣＭ情報識別子とＣＭ情報の再生回数を指定するＣＭ情報再生回数フィールドとを有する複数のＣＭ情報データ、複数の映像データ、複数の音声データ、番組情報等を含む複数の情報データをディジタル多重ストリームに多重して送信し、受信するディジタル放送送受信システムに使用される受信装置において、
送信されるディジタル多重ストリームの中から少なくとも所望の１番組分のディジタル多重ストリームを外部データ蓄積メディアに蓄積するデータ外部蓄積手段と、
ディジタル多重ストリームからＣＭ情報データを分離するＣＭ情報分離手段と、ＣＭ情報分離手段で分離されたＣＭ情報から、ＣＭ情報識別子とＣＭ強制回数フィールドとを解析するＣＭ情報解析手段と、
ＣＭ情報識別子とＣＭ情報再生回数フィールドを前記外部データ蓄積メディアに記録するＣＭ情報外部記録手段と、外部データ蓄積メディアを受信装置からユニークに認識するための識別子であるメディア識別子を外部データ蓄積メディアに記録するメディア識別子記録手段と、
前記外部データ蓄積メディアから蓄積データを再生する外部データ再生手段と、
該外部データ再生手段で再生されたデータを、ＣＭ情報識別子、ＣＭ情報回数フィールド、メディア識別子、映像データ、音声データ、情報データに分離するデータ分離手段と、
メディア識別子とＣＭ情報識別子に関して既に実行された再生の回数であるＣＭ情報再生実行回数を記憶するＣＭ情報再生回数記憶手段と、
前記データ分離手段から出力されたＣＭ情報再生回数フィールドとＣＭ情報再生回数記憶手段から出力されたＣＭ情報再生実行回数とを比較し、ＣＭ情報の再生を実行するか否か判定するＣＭ情報再生判定手段と、
該ＣＭ情報再生判定手段からの出力を受けて映像・音声の再生の実行を制御する再生制御手段と、ＣＭ情報再生判定手段からの出力を受けてＣＭ情報再生回数記憶手段におけるＣＭ情報再生実行回数を更新するＣＭ情報再生実行回数更新手段とを備え、送信されたＣＭ情報データを解析し、その解析結果からＣＭ情報の確実な再生又は再生中止を可能とすることができることを特徴とするディジタル放送用受信装置。
【請求項２１】
請求項２０記載のディジタル放送用受信装置において、
上記ＣＭ情報データは、ＣＭ情報挿入タイミング情報を有することを特徴とするディジタル放送受信装置。
【発明の詳細な説明】
【技術分野】
【０００１】
本発明は、例えば、広告情報を含むディジタル信号を送信する送信装置や送信方法に関するものである。
【背景技術】
【０００２】
従来のテレビジョン放送はアナログ放送のみであったが、日本においても、ディジタル化された映像信号や音声信号などの放送信号を家庭まで伝送する、ディジタル放送が始まった。
【０００３】
ディジタル放送では、動画像の高能率圧縮符号化等の技術により多チャンネルも実現できたが、同時に、ディジタル化された映像信号や音声信号とともに、付加情報も伝送することにより電子的な番組ガイド（以下、「ＥＰＧ」という。Ｅｌｅｃｔｒｏｎｉｃ  Ｐｒｏｇｒａｍ  Ｇｕｉｄｅ）等のサービスも可能となった。また、ディジタル化されたデータを蓄積、再生することにより、画像劣化のない高品質なタイムシフトテレビ（ＶＴＲ）を提供することも可能となった。例えば、特開平８−２９７９２２ではパケット形式で入力されたディジタル信号を効率よく記録し、再生することができる。
【０００４】
従来例について、図１５の構成説明図を用いて説明する。ディジタル放送用受信装置９は、図１５に示すように、ディジタル放送の入力端子９０１、復元された信号の出力端子９２１、ＶＴＲとの信号の入出力端子９２２、チューナ９１１、誤り訂正回路９１２、番組分割回路９１３、切り換え回路９１４、暗号復号回路９１５、ビット伸張するための復号回路９１６、信号の出力処理回路９１７、インタフェース回路９１８、を備えており、モニタＴＶ９３１及びＶＴＲ９３２と接続して使用していた。
【０００５】
そして、ディジタル放送受信装置９では、入力端子９０１でディジタル放送を受信し、チューナ９１１で選局・復調し、誤り訂正回路９１２で伝送経路で生じた誤りを訂正し、番組分割回路９１３で複数の番組が多重されている１つの伝送チャネルから所要の番組を選択して出力する。番組分割回路９１３の出力信号は切り換え回路９１４とインタフェース回路９１８に入力され、さらに入出力端子９２２を介してＶＴＲ９３２に入力される。ＶＴＲ９３２は入力されたデータを内部メディアに記録し、再生時には、入力されたデータと同じ形態で入出力端子９２２を介してインタフェース回路９１８に出力する。インタフェース回路９１８の出力信号は切り換え回路９１４に入力される。切り換え回路９１４では、受信した信号を復元する場合には番組分割回路９１３からの信号を選択して出力し、ＶＴＲ９３２の再生出力信号を選択して出力する場合にはインタフェース回路９１８からの信号を選択して出力する。暗号復号回路９１５では切り換え回路９１４の出力信号のスクランブルを解除し、復号回路９１６で映像・音声データに復号し、出力処理回路９１７ではモニタテレビ９３１が受信できるフォーマットに変換し、映像・音声信号を出力する。
【先行技術文献】
【特許文献】
【０００６】
【特許文献１】特開平８−２９７９２２
【発明の概要】
【発明が解決しようとする課題】
【０００７】
スポンサーが番組を提供する放送では、タイムシフトテレビを視聴中、ＣＭの時間帯はユーザが早送りすることが十分考えられる。さらに、ディジタル放送のタイムシフトテレビでは、画質劣化のない高画質な映像を提供できるため、現状のアナログＶＴＲを利用したタイムシフトテレビよりさらに利用頻度が高くなることが想定される。その結果として、ユーザにとって便利な反面、番組を提供するスポンサーにとっては、広告の効果が少なくなるといったデメリットが発生する。そこで、本発明の目的は、広告の効果を高める送信装置及び送信方法を提供することにある。
【課題を解決するための手段】
【０００８】
上記課題を解決するために、特許請求の範囲に開示されている技術的思想を用いればよい。
【発明の効果】
【０００９】
本発明によれば、広告の効果を高める送信装置と送信方法を提供することができる。
【図面の簡単な説明】
【００１０】
【図１】実施例１の送信装置を示すブロック説明図。
【図２】実施例１の受信装置を示すブロック説明図。
【図３】実施例１におけるユーザデータの説明図。
【図４】実施例１におけるＣＭ情報制御を示すフローチャート説明図。
【図５】実施例２の送信装置を示すブロック説明図。
【図６】実施例２の受信装置を示すブロック説明図。
【図７】実施例２におけるＣＭ情報ディスクリプタを示す説明図。
【図８】実施例２におけるＣＭ情報制御を示すフローチャート説明図。
【図９】実施例３の送信装置を示すブロック説明図。
【図１０】実施例３の受信装置を示すブロック説明図。
【図１１】実施例３におけるＣＭ情報テーブルを示す説明図。
【図１２】実施例３におけるＣＭ情報制御を示すフローチャート説明図。
【図１３】実施例４におけるブロック説明図。
【図１４】実施例５におけるブロック説明図。
【図１５】従来例のブロック説明図。
【発明を実施するための形態】
【００１１】
本発明の発明の実施の形態について説明する。
【００１２】
本発明のディジタル放送送受信システム及びその送信装置と受信装置、受信機内蔵テレビ装置の実施例について、図１〜図１４を用いて説明する。図１は、実施例１の送信装置を示すブロック説明図である。図２は、実施例１の受信装置を示すブロック説明図である。図３は、実施例１におけるユーザデータの説明図である。図４は、実施例１におけるＣＭ情報制御を示すフローチャート説明図である。図５は、実施例２の送信装置を示すブロック説明図である。図６は、実施例２の受信装置を示すブロック説明図である。図７は、実施例２におけるＣＭ情報ディスクリプタを示す説明図である。図８は、実施例２におけるＣＭ情報制御を示すフローチャート説明図である。図９は、実施例３の送信装置を示すブロック説明図である。図１０は、実施例３の受信装置を示すブロック説明図である。図１１は、実施例３におけるＣＭ情報テーブルを示す説明図である。図１２は、実施例３におけるＣＭ情報制御を示すフローチャート説明図である。図１３は、実施例４におけるブロック説明図である。図１４は、実施例５におけるブロック説明図である。なお、本発明において、特定情報とは、放送する番組以外の部分、例えばＣＭ情報であり、そして、画面の切替表示、画面の一部表示等、ＣＭ情報として認識させることが可能な形式であれば、適用できる。
【００１３】
実施例１を説明する。本実施例は、映像データのユーザデータ領域を利用してＣＭ情報を送信し、受信装置側では、記録したデータを再生時にユーザデータからＣＭ情報を解析し、ＣＭの放送時間帯に映像・音声を省略されずに確実に再生するディジタル放送送受信システムである。
【００１４】
実施例１の送信装置１Ａは、Ｍ個の論理チャンネルがＮ個の物理チャンネルになるよう多重され、Ｎ本のディジタル多重ストリームが出力される送信装置であり、図１に示すように、番組１の映像信号を入力する入力端子１０１、番組１のＣＭ情報を入力する入力端子１０２、番組１の音声信号を入力する入力端子１０３、番組Ｍの映像信号を入力する入力端子１０４、番組Ｍの音声信号を入力する入力端子１０５、入力端子１０１から入力された映像信号を画像圧縮する番組１映像エンコーダ１１１、入力端子１０３から入力された音声信号を圧縮する番組１音声エンコーダ１１３、入力端子１０４から入力された映像信号を画像圧縮する番組Ｍ映像エンコーダ１１４、入力端子１０５から入力された音声信号を圧縮する番組Ｍ音声エンコーダ１１５、ユーザデータを作成するユーザデータ作成回路１１２、番組１映像信号エンコーダ１１１の出力データにユーザデータを付加するユーザデータ付加回路１２１、Ｍ個の論理チャンネルの映像・音声データをＮ個のディジタル多重ストリームに多重するデータ多重回路１３１、ディジタル多重ストリーム１を出力する出力端子１４１、ディジタル多重ストリームＮを出力する出力端子１４２、等を備えている。ユーザデータ付加回路１２１がＣＭ情報データ付加手段である。
【００１５】
実施例１の受信装置２Ａは、例えば送信機内蔵テレビ装置であり、図２に示すように、送信装置１Ａから送られてくるディジタル多重ストリームの入力端子２０１、ディジタル多重ストリームの中から必要なデータを選択して各回路へ分配するデータ分離回路２１１、データ分離回路２１１から出力されたデータを蓄積するデータ蓄積メディア２２１、データ分離回路２１１から出力された映像データを復号する映像復号回路２３１、データ分離回路２１１から出力された音声データを復号する音声復号回路２３２、映像復号回路２３１から出力された映像信号を出力する出力端子２４１、音声復号回路２２３から出力された音声信号を出力する出力端子２４２、ＣＭ情報の再生等の情報を受けて受信装置２Ａを制御する制御ブロック２２２、映像復号回路２３１から出力されるユーザデータを解析するユーザデータ解析ブロック２２５、ユーザデータ解析ブロック２２５の出力を受けて、ＣＭ情報を再生するか否か判定するＣＭ再生判定ブロック２２４、ＣＭ再生判定ブロック２２４の出力を受けて、ＣＭ再生判定結果を記憶する判定結果記憶ブロック２２３、を備えている。データ蓄積メディア２２１がデータ蓄積手段及び蓄積データ再生手段であり、また、ユーザデータ解析ブロック２２５がＣＭ情報データ解析手段であり、そして、ＣＭ再生判定ブロック２２４が再生判定手段及び再生実行回数更新手段であり、更に、制御ブロック２２２が再生制御手段であり、また、判定結果記憶ブロック２２３が再生回数記憶手段である。
【００１６】
実施例１におけるユーザデータの一例について、図３を用いて説明する。ユーザデータデータ３は、図３に示すように、ユーザデータ識別子３０１、ＣＭ情報識別子３０２、ＣＭ再生終了フラグ３０３、ＣＭ再生回数３０４、有効期限３０５、スポンサー識別子３０６、製品識別子３０７、大ジャンル識別子３０８、小ジャンル識別子３０９、バージョン番号３１０、等からなる。ユーザデータ識別子３０１は、例えば、ユーザデータ３が字幕データなのか、ＣＭ情報なのかを識別するＩＤである。ＣＭ情報識別子３０２は、ＣＭ情報をユニークに識別する。ＣＭ再生終了フラグ３０３は、例えば、ＣＭの時間帯から通常の番組に切り換わる直前で「１」となり、再生の必要がなくなる旨を示し、ＣＭが始まり再生が必要となった時点で「０」となる。ＣＭ再生回数３０４は、ＣＭ情報識別子３０２で識別されるＣＭ情報についての最低再生回数を示し、例えば「２」の場合は、番組を記録後、ＣＭ情報識別子で識別されるＣＭ情報を最低２回以上再生する必要がある旨を示す。有効期限３０５は、ＣＭ情報識別子３０２で識別されるＣＭ情報について、再生する期限を示す。スポンサー識別子３０６は、ＣＭ情報の発信元である企業等の識別ＩＤである。製品識別子３０７は、例えば、ＢＳディジタル放送受信機ＢＳ−ＨＤ１００等、製品を識別するＩＤである。大ジャンル識別子３０８は、ＣＭ情報がどのジャンルに属しているを大まかに示し、例えば家庭電化製品、自動車等を表す。小ジャンル識別子３０９は、大ジャンル識別子３０８よりさらに詳細なジャンルを示し、例えば、ＢＳディジタル放送受信機、冷蔵庫、トラック等を表す。バージョン番号３１０は、ＣＭ情報のバージョンを表し、同一ＣＭ情報が繰り返し送信される場合は、それらのバージョン番号は全て同じとする。また、ＣＭ情報が更新された時点でバージョン番号３１０は更新される。
【００１７】
実施例１の受信装置２Ａにおけるユーザデータ割込み処理のフローチャートの一例について、図４を用いて説明する。
【００１８】
Ｓ６００）  ユーザデータ割込み処理が発生し、ステップＳ６０１に進む。
【００１９】
Ｓ６０１）  ユーザデータがＣＭ情報データであるか否かを判定し、正しいときステップＳ６０２に進み、相違するときはステップＳ６０９に進む（ユーザデータ識別子判定ステップ）。
【００２０】
Ｓ６０２）  ＣＭ情報の再生日時が有効期限以内であるか否かを判定し、以内であるときはステップＳ６０３に進み、相違するときはステップＳ６０７に進む（有効期限判定ステップ）。
【００２１】
Ｓ６０３）  ＣＭ情報の放送時間帯が終了しているか否かを判定し、終了しているときステップＳ６０８に進み、終了していないときステップＳ６０４に進む（ＣＭ情報再生終了判定ステップ）。
【００２２】
Ｓ６０４）  ＣＭ情報の表示回数がＣＭ再生回数に達したか否かを判定し、達していればステップＳ６０８に進み、達していなければステップＳ６０５に進む（再生回数判定ステップ）。
【００２３】
Ｓ６０５）  ＣＭ情報の再生を実行し、ステップＳ６０６に進む（ＣＭ情報再生ステップ）。
【００２４】
Ｓ６０６）  ＣＭ情報の再生回数を更新し、ステップＳ６０９に進む（ＣＭ情報再生回数更新ステップ）。
【００２５】
Ｓ６０７）  番組再生を禁止し、ステップＳ６０９に進む（番組再生禁止ステップ）。
【００２６】
Ｓ６０８）  ＣＭ情報の再生を解除し、ステップＳ６０９に進む（ＣＭ情報再生解除ステップ）。
【００２７】
Ｓ６０９）  ＣＭ情報の再生の制御処理を終了する。
【００２８】
実施例１の送信装置１Ａは、送信装置の一部を示したもので、実際には誤り訂正、ディジタル変調等数々の技術を利用して伝送するが、それらの部分は省略してある。また、送信装置２Ａも受信装置の一部を示したもので、実際にはディジタル変調や誤り訂正等に対応する手段が必要であるが、それらの部分も省略してある。本発明の他の実施例の送信装置、受信装置においても同様である。
【００２９】
実施例１のディジタル放送送受信システムについて、説明する。説明を簡単にするため、番組１のみでＣＭ情報を送信しているとする。送信装置１Ａは、図１において、入力端子１０１から入力した番組１の映像信号を番組１映像エンコーダ１１１でＭＰＥＧ等でエンコードし、入力端子１０３から入力した番組１の音声信号を番組１音声エンコーダ１１３でＭＰＥＧ等でエンコードする。同様に番組Ｍまで、映像・音声それぞれのエンコーダでエンコードを行う。ユーザデータ作成回路１１２ではユーザデータ３を作成する。本実施例では、図３に示すユーザデータ３として、ユーザデータ識別子３０１は「ＣＭ情報」、ＣＭ情報識別子３０２は「放送中のＣＭに割り当てられたＩＤ」、ＣＭ再生終了フラグ３０３は「０」、ＣＭ再生回数３０４は「２」、有効期限３０５は「平成１１年８月２６日」、バージョン番号３１０は「５」と設定する。ユーザデータ作成回路１１２の出力を受けて、ユーザデータ付加回路１２１では、番組１映像エンコーダ１１１でＣＭの映像データがエンコードされているタイミングで、ピクチャ毎のユーザデータ領域にユーザデータ３を付加する。データ多重回路１３１では番組１からＭまでのエンコードされた映像・音声データを多重し、Ｎ個のディジタル多重ストリームを作成し、前記出力端子１４１からはディジタル多重ストリーム１を、出力端子１４２からはディジタル多重ストリームＮを出力する。
【００３０】
また、受信装置２Ａは、図２において、入力端子２０１から選局されたディジタル多重ストリームを入力し、データ分離回路２１１で所望の番組データを分離し、データ蓄積メディア２２１でデータ分離回路２１１の出力を受けてデータを蓄積する。データ蓄積メディア２２１に蓄積されたデータを再生する場合は、データ蓄積メディア２２１からデータ分離回路２１１に再生データを出力し、データ分離回路２１１で再生に必要な映像・音声データを分離して、それぞれ映像復号回路２３１、音声復号回路２３２に入力する。映像復号回路２３１では、通常番組からＣＭ情報への切り換りを検出し、ユーザデータ解析ブロック２２５でユーザデータ３の解析を行い、その結果を受けてＣＭ再生判定ブロック２２４でＣＭ情報を表示するか否かを判定し、判定結果を判定結果記憶ブロック２２３で記憶し、記憶されたデータは次のＣＭ再生判定制御で利用される。具体的には、ピクチャ毎のユーザデータ３を映像復号回路２３１で検出し、ユーザデータ割込みＳ６００（図４参照）を発生させる。ユーザデータ割込みＳ６００を受けて、ソフトウェアで、ユーザ識別子判定ステップＳ６０１でユーザデータ識別子３０１からＣＭ情報であるか否かを判定し、ＣＭ情報である場合は有効期限判定ステップＳ６０２を実行する。ここで、有効期限判定ステップＳ６０２では、ユーザデータ作成回路１１２において有効期限を「平成１１年８月２６日」と設定したが、再生日が「平成１１年８月２６日」以降である場合、ユーザがＣＭを見てもスポンサー側にメリットがないので、番組再生禁止ステップＳ６０７において、番組の再生を禁止させることができる。再生日が「平成１１年８月２６日」以前である場合は、ＣＭ再生終了判定ステップＳ６０３で、ＣＭ再生終了フラグ３０３からＣＭの時間帯であるか否かを判定し、ＣＭ再生回数判定ステップＳ６０４では、判定結果記憶ブロック２２３からＣＭ情報識別子３０２に関する再生実行回数を調べ、それがＣＭ再生回数３０４より小さい場合は、具体的には本実施例では、ＣＭ再生を過去「０」回、または「１」回しか実行していない場合には、ＣＭの表示が必要であると判断し、ＣＭ再生ステップＳ６０５において、ＣＭの早送り等を禁止し、再生を実行する。さらに、再生実行後は再生回数更新ステップＳ６０６を実行し、前記判定結果記憶ブロック２１１で再生実行回数を更新する。また、ＣＭの再生回数が前記再生回数３０４に達している場合、具体的には本実施例では強制再送を過去「２」回実行している場合は、前記ＣＭ再生解除ステップＳ６０８を実行し、制御ブロック２２２で再生を解除する。さらに、ＣＭの再生回数がＣＭ再生回数３０４に達した場合は、ＣＭの有効期限がきれた場合でも、番組を再生するように制御ブロック２２２で制御することも可能である。
【００３１】
また、ＣＭの時間帯が終了し、通常番組に切り換わる直前では、送信装置１ＡでＣＭ再生終了フラグ３０３を「１」とし、受信装置２ＡはそのＣＭ再生終了フラグ３０３を受けて、ＣＭ情報再生終了判定ステップＳ６０３でＣＭの再生が必要ない旨を判断し、ＣＭ情報再生解除ステップＳ６０８を実行する。
【００３２】
実施例１では具体的には説明しなかったが、ユーザデータ３のバージョン番号３１０を利用し、バージョン番号の排他処理を行うことにより処理の軽減を図ることができる。具体的には、ピクチャ毎に挿入されているユーザデータ３を全部解析せず、バージョン番号３１０の異なるＣＭ情報だけを解析することにより、ソフトウェア処理の大幅な軽減が実現できる。また、本実施例ではピクチャヘッダ毎にユーザデータ３を挿入する方法について説明したが、シーケンスヘッダのユーザデータ等にＣＭ情報挿入タイミング情報を設けることも同様な効果がある。シーケンスヘッダに挿入した場合は、ピクチャヘッダより送信周期が長いため、処理のレスポンスが悪くなるが、処理のオーバーヘッドは小さくなる。
【００３３】
さらに、実施例１ではＣＭ情報識別子３０２とＣＭ再生回数３０４を利用して、再生回数を制御したが、スポンサー識別子３０６、製品識別子３０７、大ジャンル識別子３０８、小ジャンル識別子３０９を利用して、ＣＭ情報識別子３０２を用いた場合と同様な制御が実現できる。具体的には、例えば、スポンサー識別子３０６「Ｎメーカー」、大ジャンル３０８「自動車」、ＣＭ再生回数３０４「２」の場合に、「Ｎメーカーの自動車」のＣＭを２回以上再生すれば、ＣＭ再生解除Ｓ６０８を実行することも可能である。
【００３４】
また、実施例１では番組１にのみでＣＭ情報を送信しているとしたが、それ以外の番組２から番組Ｍまでの番組でも同様な手段によってＣＭ情報を付加し、ＣＭ情報の再生を実現である。
【００３５】
実施例１によれば、映像データのユーザデータ領域を利用して、送信側で、受信側のＣＭ情報の再生を確実に実行させることができるので、スポンサー側にデメリットがないタイムシフトテレビを提供することができる。
【００３６】
実施例２について、図５、図６のブロック説明図、図７のデータフォーマット説明図、図８のフローチャート説明図を用いて説明する。本実施例では、番組情報にＣＭ情報を付加して送信し、受信装置では記録したデータを再生時に番組情報からＣＭ情報を解析し、ＣＭの放送時間帯に映像・音声を再生する。
【００３７】
実施例２の送信装置１Ｂは、Ｍ個の論理チャンネルがＮ個の物理チャンネルになるよう多重され、番組情報がそれぞれのディジタル多重ストリームに多重され、Ｎ本のディジタル多重ストリームが出力される。実施例１の送信装置と比較して、図５に示すように、番組情報を入力する入力端子１０６、ＣＭ情報を入力する入力端子１０７、入力端子１０６から入力した番組情報から、ＭＰＥＧで定義されているテーブルを作成する番組情報テーブル作成回路１１６、入力端子１０７から入力したＣＭ情報からＭＰＥＧで定義されているディスクリプタを作成するＣＭ情報ディスクリプタ作成回路１１７、番組情報テーブル作成回路１１６の出力に、ＣＭ情報ディスクリプタ１１７の出力を付加するＣＭ情報ディスクリプタ付加回路１２２、を備えている点で相違しており、それ以外は同様である。
【００３８】
同様に、実施例２の受信装置２Ｂは、実施例１の受信装置２Ａと比較して、図６に示すように、データ分離回路２１１から出力する番組情報を解析する番組情報解析ブロック２２６を備えており、それ以外は同様である。
【００３９】
実施例２におけるＣＭ情報ディスクリプタ４の一例は、図７に示すように、ディスクリプタ・タグであって、例えば、ディスクリプタが番組名の情報なのか、ＣＭ情報なのかを識別するタグであり、ディスクリプタタグ４０１、ＣＭ再生回数４０２、有効期限４０３、ＣＭ情報識別子４０４、スポンサー識別子４０５、製品識別子４０６、大ジャンル識別子４０７、小ジャンル識別子４０８、開始時間４０９、終了時間４１０、等からなる。実施例１と比較して、ＣＭの開始時間４０９、ＣＭの終了時間４１０を有しており、それ以外は同様である。
【００４０】
実施例２の受信装置２Ｂにおける番組情報のフィルタリング完了処理のフローチャートの一例について、図８を用いて説明する。
【００４１】
Ｓ７００）  番組情報のフィルタリング完了であり、それを受けてＣＭ制御処理が始まり、ステップＳ７０１に進む。
【００４２】
Ｓ７０１）  番組情報を解析し、ステップＳ７０２に進む（番組情報解析ステップ）。
【００４３】
Ｓ７０２）  解析した番組情報内にＣＭ情報ディスクリプタが存在するか否かを判定し、存在するとステップＳ７０３に進み、存在しないとステップＳ７１１に進む（ＣＭディスクリプタ存在判定ステップ）。
【００４４】
Ｓ７０３）  ＣＭが開始時間になったか否かを検出し、開始時間であるとステップＳ７０４に進み、まだであるとステップＳ７０３に戻る（ＣＭ開始時間検出ステップ）。
【００４５】
Ｓ７０４）  ＣＭ有効期限内であるか否かを検出し、期限内であるとステップＳ７０５に進み、期限経過であるとステップＳ７１０に進む（有効期限判定ステップ）。
【００４６】
Ｓ７０５）  表示回数がＣＭ再生回数に達したか否かを検出し、達していればステップＳ７０９に進み、達していなければステップＳ７０６に進む（再生回数判定ステップ）。
【００４７】
Ｓ７０６）  ＣＭ情報を再生し、ステップＳ７０７に進む（ＣＭ情報再生ステップ）。
【００４８】
Ｓ７０７）  再生回数を更新し、ステップＳ７０８に進む（ＣＭ情報再生回数更新ステップ）。
【００４９】
Ｓ７０８）  ＣＭが終了時間になったか否かを検出し、終了時間であるとステップＳ７０９に進み、まだであるとステップＳ７０８に戻る（ＣＭ終了時間検出ステップ）。
【００５０】
Ｓ７０９）  ＣＭ情報の再生を解除し、ステップＳ７１１に進む（ＣＭ情報再生解除ステップ）。
【００５１】
Ｓ７１０）  番組再生を禁止し、ステップＳ７１１に進む（番組再生禁止ステップ）。
【００５２】
Ｓ７１１）  ＣＭ情報の再生の制御処理を終了する。
【００５３】
実施例２において、送信装置１ＢではＣＭ情報ディスクリプタ作成回路１１７でＣＭ情報ディスクリプタ４を作成する。ＣＭ情報ディスクリプタ作成回路１１７において、ディスクリプタ・タグ４０１は「ＣＭ情報ディスクリプタ」、開始時間４０９は「ＣＭ情報識別子４０４で識別されるＣＭの放送開始時間」、終了時間４１０は「ＣＭ情報識別子４０４で識別されるＣＭの放送終了時間」を設定し、それ以外はユーザデータ作成回路１１２と同様である。番組情報テーブル作成回路１１６では、入力端子１０６から入力した「番組名」「番組内容」等の番組情報から番組情報テーブルを作成する。ＣＭ情報ディスクリプタ付加回路１１７では番組情報テーブル作成回路１１６の出力を受け、ＣＭ情報ディスクリプタ作成回路１１７の出力を付加する。データ多重回路１３１では、それぞれのディジタル多重ストリームにＣＭ情報ディスクリプタ付加回路１２２で作成された番組情報を多重する。それ以外は実施例１における送信装置１Ａと同様である。
【００５４】
受信装置２Ｂではデータ蓄積メディア２２１に蓄積されたデータを再生時に、データ分離回路２１１において番組情報を分離し、番組情報解析ブロック２２６において番組情報を解析し、その出力を受けてＣＭ再生判定ブロック２２４において再生判定するか否かを判定する。具体的には分離装置２１１で番組情報のフィルタリング完了後、フィルタリング完了Ｓ７００（図８参照）でその旨通知する。フィルタリング完了Ｓ７００を受けて、ソフトウェアで、番組情報解析ステップＳ７０１で番組情報の解析を行い、その解析結果を受けてＣＭディスクリプタ存在判定ステップＳ７０２を実行する。ＣＭディスクリプタが存在する場合は、ＣＭ開始時間検出ステップＳ７０３で開始時間４０９に示してあるＣＭ開始時間まで待ち、ＣＭ開始時間になった時点で、ＣＭ再生を実行する。さらに、ＣＭ再生実行後、ＣＭ終了時間検出ステップＳ７０８で終了時間４１０に示してあるＣＭ時間まで待ち、終了時間になった時点でＣＭ表示解除ステップＳ７０９を実行する。それ以外の制御は、実施例１における受信装置２Ａと同様である。
【００５５】
実施例２によれば、番組情報にＣＭ情報を付加することで、送信側でＣＭの再生を制御できるので、スポンサー側にデメリットがないタイムシフトテレビを提供することができる。
【００５６】
実施例３について、図９、図１０のブロック説明図、図１１のデータフォーマット説明図、図１２のフローチャート説明図を用いて説明する。本実施例では、ＣＭ情報を送信し、受信装置では記録したデータを再生時にＣＭ情報を解析し、ＣＭの放送時間帯に映像・音声を再生する。
【００５７】
図９において、送信装置１Ｃは、Ｍ個の論理チャンネルがＮ個の物理チャンネルになるよう多重され、ＣＭ情報がそれぞれのディジタル多重ストリームに多重され、Ｎ本のディジタル多重ストリームが出力し、ＣＭ情報の入力端子１０８、入力端子１０８から入力したＣＭ情報を例えば、ＭＰＥＧで定義されているテーブル形式のデータにするＣＭ情報テーブル作成ブロック１１８を備えており、それ以外は、図１に示した送信装置１Ａと同様である。
【００５８】
受信層２Ｃは、図１０に示すように、データ分離回路２１１から出力するＣＭ情報を解析するＣＭ情報解析ブロック２２７を備えており、それ以外は図２に示した受信装置２Ａと同様である。
【００５９】
実施例３で使用するＣＭ情報テーブル５は、図１１に示すように、セクションヘッダ５０１、ＣＭ再生回数５０２、有効期限５０３、ＣＭ情報識別子５０４、スポンサー識別子５０５、製品識別子５０６、大ジャンル識別子５０７、小ジャンル識別子５０８、開始時間５０９、終了時間５１０、等からなる。セクションヘッダ５０１は、ＭＰＥＧで定義されているセクションヘッダであり、それ以外は図３に示したＣＭ情報ディスクリプタ４と同様である。
【００６０】
実施例３の受信装置２ＣにおけるＣＭ情報のフィルタリング完了処理のフローチャートの一例について、図１２を用いて説明する。
【００６１】
Ｓ８００）  ＣＭ情報のフィルタリング完了処理が発生し、ステップＳ８０１に進む。
【００６２】
Ｓ８０１）  ＣＭ情報を解析し、ステップＳ８０２に進む（ＣＭ情報解析ステップ）。
【００６３】
Ｓ８０２）  ＣＭが開始時間になったか否かを検出し、開始時間であるとステップＳ８０３に進み、まだであるときはステップＳ８０２に戻る（ＣＭ開始時間検出ステップ）。
【００６４】
Ｓ８０３）  ＣＭ情報の再生日時が有効期限以内であるか否かを判定し、以内であるときはステップＳ８０４に進み、相違するときはステップＳ８０９に進む（有効期限判定ステップ）。
【００６５】
Ｓ８０４）  表示回数がＣＭ再生回数に達したか否かを判定し、達していればステップＳ８０８に進み、達していなければステップＳ８０５に進む（再生回数判定ステップ）。
【００６６】
Ｓ８０５）  ＣＭ情報の再生を実行し、ステップＳ８０６に進む（ＣＭ情報再生ステップ）。
【００６７】
Ｓ８０６）  ＣＭ情報の再生回数を更新し、ステップＳ８０７に進む（ＣＭ情報再生回数更新ステップ）。
【００６８】
Ｓ８０７）  ＣＭの放送時間帯が終了しているか否かを判定し、終了しているときステップＳ８０８に進み、終了していないときステップＳ８０７に戻る（ＣＭ再生終了判定ステップ）。
【００６９】
Ｓ８０８）  ＣＭ情報の再生を中止し、ステップＳ８１０に進む（ＣＭ情報再生中止ステップ）。
【００７０】
Ｓ８０９）  番組再生を禁止し、ステップＳ８１０に進む（番組再生禁止ステップ）。
【００７１】
Ｓ８１０）  ＣＭ情報の再生の制御処理を終了する。
【００７２】
実施例３の送信装置１Ｃでは、図９に示すように、入力端子１０８から入力したＣＭ情報から、ＣＭ情報テーブル作成ブロック１１８でＣＭ情報テーブル５（図１１参照）を作成する。セクションヘッダ５０１として「ＣＭ情報テーブルのために新たに定義したパラメータ」を設定する。データ多重回路１３１では、それぞれのディジタル多重ストリームにＣＭ情報テーブル作成ブロック１１８で作成されたＣＭ情報データを多重する。それ以外は実施例１の送信装置１Ａと同様である。
【００７３】
受信装置２Ｃでは、図１０に示すように、データ蓄積メディア２２１に蓄積された情報データを再生時に、データ分離回路２１１においてＣＭ情報データを分離し、ＣＭ情報解析ブロック２２７においてＣＭ情報データを解析し、その出力を受けてＣＭ再生判定ブロック２２４において再生するか否かを判定する。具体的にはデータ分離装置２１１でＣＭ情報データをフィルタリングし、フィルタリング完了後、フィルタリング完了Ｓ８００（図１２参照）を通知する。フィルタリング完了Ｓ８００を受けて、ソフトウェアで、ＣＭ情報解析ステップＳ８０１でＣＭ情報の解析を行う。それ以外は実施例１における受信装置２Ａと同様な制御を行う。
【００７４】
実施例３によれば、新たにＣＭ情報テーブルを定義することにより、従来の番組情報、符号化された映像データを加工することなく、すなわち、従来の放送の設備に新たな設備を追加するだけでＣＭ情報を送信することができる。また、ＣＭ情報を送信することにより、送信側でＣＭ情報の確実な再生を制御できるので、スポンサー側にデメリットがないタイムシフトテレビを提供することができる。
【００７５】
実施例４について、図１３のブロック説明図を用いて説明する。本実施例では受信装置内部で、最初の再生回数を記憶しておくのではなく、メディアに記録されているＣＭ情報の再生回数を０となるまで更新することにより、ＣＭ情報の確実な再生が実現できる。
【００７６】
実施例４の受信装置２Ｄは、図１３に示すように、ＣＭ情報編集ブロック２２７を有しており、それ以外は実施例３の受信装置３Ｃと同様である。
【００７７】
実施例４では、ＣＭ再生判定ブロック２２４では、ＣＭ情報テーブル５（（図１１参照）のＣＭ再生回数５０２が「０」であるか否かを判断し、例えば「２」の場合はＣＭ情報の再生が必要であると判断し、制御ブロック２２２によりＣＭ情報の再生を実行するよう制御する。ＣＭ情報編集ブロック２２７では、制御ブロック２２２でＣＭ情報の再生が１回実行されたので、それ以降必要な再生の回数は「１＝（２−１）」であると判断し、データ蓄積メディア２２１に保存されているＣＭ再生回数５０２を「２」から「１」に書き換える。それ以外は実施例１の送信装置１Ａと同様である。ＣＭ情報編集ブロック２２７がＣＭ情報再生回数フィールド更新手段である。
【００７８】
実施例４によれば、ＣＭ情報の再生の実行結果をメディアに反映することができるので、データ蓄積メディア２２１がリムーバブルな場合でも、視聴回数に応じたＣＭ情報の再生制御が実現できる。
【００７９】
実施例５について、図１４のブロック説明図を用いて説明する。本実施例ではデータ蓄積メディアを受信装置内部に設ける代わりに外部に設け、そして、データ蓄積メディアとのインターフェースを備えることによって、ＣＭ情報の確実な再生が実現できる。
【００８０】
実施例５の受信装置２Ｅは、図１４に示すように、情報データの送受信をするための入出力端子２４３、２４４を有しており、そして、ディジタル多重ストリームを記録するためのリムーバブルなデータ蓄積メディア１、２５１、データ蓄積メディア２、２５２、データ蓄積メディアＮ、２５３に接続されている。図１４では、メディアが１〜ＮまでのＮ個が存在していると仮定している。入出力端子２４３は、データ分離回路２１１とデータ蓄積メディア１、２５１とを接続している。入出力端子２４４は、制御ブロック２２２とデータ蓄積メディア２５１との制御する制御信号の入出力端子である。なお、データ蓄積メディア２、２５２、データ蓄積メディアＮ、２５３等との入出力端子については、図示していない。
【００８１】
実施例５における受信装置２Ｅでは、ユーザの要求に応じて、例えばデータ蓄積メディア１、２５１に、ディジタル多重ストリームを蓄積する。ここで受信装置２ＥではＣＭ情報解析ブロック２２７でＣＭ情報データの解析を行い、その少なくとも解析結果であるＣＭ情報テーブル５（図１１参照）のＣＭ情報識別子５０４、ＣＭ再生回数５０２、蓄積メディアを認識するためのメディア識別子を、データ蓄積メディア１、２５１に記録する。蓄積データの再生時にはデータ分離回路２１１において、ＣＭ情報識別子５０４、ＣＭ再生回数５０２、メディア識別子を分離する。ＣＭ再生判定ブロック２２４では、判定結果記憶ブロック２２３から、メディア識別子とＣＭ情報識別子５０４の組み合わせに関する再生実行回数を取得し、ＣＭ再生回数５０２と比較し、ＣＭ情報の再生を行うか否か判断する。判定結果記憶ブロック２２３では、ＣＭ再生判定ブロック２２３の結果を受けて、メディア識別子とＣＭ情報識別子５０４の組み合わせに関してＣＭ情報の再生回数の実行結果を記憶する。実施例５では、実施例３と異なる点に付いてのみ説明した。したがって、それ以外は実施例３と同様である。
【００８２】
実施例５によれば、受信装置２Ｅが複数のリムーバブル・データ蓄積メディアに対応している場合でも、それぞれのメディアを認識し、メディアに依存したＣＭ情報の表示制御が可能となる。
【００８３】
本発明において、実施例１〜５でＣＭ有効期限判定ステップＳ６０２、Ｓ７０４において、有効期限が経過している場合は番組を再生禁止としたが、逆に、有効期限が過ぎていれば、ＣＭ情報の再生を解除して、番組の再生を可能とするが、ＣＭ情報の再生を禁止（中止）することも可能である。その場合は、ユーザとしても、意味がない古いＣＭ情報を自由にスキップできるので、使い勝手がよいタイムシフトテレビを利用することができる。
【００８４】
また、現状の放送では、ある時間間隔で、スポンサーの異なる複数のＣＭが組みになって放映されているが、本発明では、スポンサー、ＣＭの内容に関わらず、その組みにおいてはＣＭ情報を全て同じとすることにより、制御が簡単で、処理効率がいいＣＭ情報の再生を実現できる。
【００８５】
以上の各実施例で説明ように、ＣＭ情報データを付加した映像データ等を多重する代わりにＣＭ情報データと映像データ等とを多重することは可能である。また、ＣＭ情報再生実行回数を更新する代わりにＣＭ情報再生回数フィールドを更新することも可能である。そして、ＣＭ情報の有効期限のなし又は有り、及び有効期限経過後に番組の再生を禁止する又はＣＭ情報の再生を中止することも可能である。更に、ＣＭ情報タイミング情報のなし又は有りとすることも可能である。なお、これらを組合せた、ディジタル放送送受信システム、送信装置、受信装置、及び受信機内蔵テレビ装置とすることも可能である。
【符号の説明】
【００８６】
１Ａ〜１Ｃ  送信装置
１０１〜１０８  入力端子
１１１  番組１映像エンコーダ
１１２  ユーザデータ作成回路
１１３  番組１音声エンコーダ
１１４  番組Ｍ映像エンコーダ
１１５  番組Ｍ音声エンコーダ
１１６  番組情報テーブル作成ブロック
１１７  ＣＭ情報ディスクリプタ作成ブロック
１１８  ＣＭ情報テーブル作成ブロック
１２１  ユーザデータ付加回路
１２２  番組情報ディスクリプタ付加ブロック
１３１  データ多重回路
１４１、１４２  出力端子
２Ａ〜２Ｅ  受信装置
２０１  入力端子
２１１  データ分離回路
２２１  データ蓄積メディア
２２２  制御ブロック
２２３  判定結果記憶ブロック
２２４  ＣＭ再生判定ブロック
２２５  ユーザデータ解析ブロック
２２６  番組情報解析ブロック
２２７  ＣＭ情報解析ブロック
２２８  ＣＭ情報編集ブロック
２３１  映像復号回路
２３２  音声復号回路
２４１、２４２  出力端子
２４３、２４４  入出力端子
２５１  データ蓄積メディア１
２５２  データ蓄積メディア２
２５３  データ蓄積メディアＮ
３  ユーザデータ
３０１  ユーザデータ識別子
３０２  ＣＭ情報識別子
３０３  ＣＭ再生終了フラグ
３０４  ＣＭ再生回数
３０５  有効期限
３０６  スポンサー識別子
３０７  製品識別子
３０８  大ジャンル識別子
３０９  小ジャンル識別子
３１０  バージョン番号
４  ＣＭ情報ディスクリプタ
４０１  ディスクリプタ・タグ
４０２  ＣＭ再生回数
４０３  有効期限
４０４  ＣＭ識別子
４０５  スポンサー識別子
４０６  製品識別子
４０７  大ジャンル識別子
４０８  小ジャンル識別子
４０９  開始時間
４１０  終了時間
５  ＣＭ情報テーブル
５０１  セクションヘッダ
５０２  ＣＭ再生回数
５０３  有効期限
５０４  ＣＭ識別子
５０５  スポンサー識別子
５０６  製品識別子
５０７  大ジャンル識別子
５０８  小ジャンル識別子
５０９  開始時間
５１０  終了時間
【図１】
2010141916.tif 000003
【図２】
2010141916.tif 000004
【図３】
2010141916.tif 000005
【図４】
2010141916.tif 000006
【図５】
2010141916.tif 000007
【図６】
2010141916.tif 000008
【図７】
2010141916.tif 000009
【図８】
2010141916.tif 000010
【図９】
2010141916.tif 000011
【図１０】
2010141916.tif 000012
【図１１】
2010141916.tif 000013
【図１２】
2010141916.tif 000014
【図１３】
2010141916.tif 000015
【図１４】
2010141916.tif 000016
【図１５】
2010141916.tif 000017
【手続補正書】
【提出日】平成22年3月16日(2010.3.16)
【手続補正２】
【補正対象書類名】特許請求の範囲
【補正対象項目名】全文
【補正方法】変更
【補正の内容】
【特許請求の範囲】
【請求項１】
コンテンツが入力される入力部と、
前記入力部に入力されたコンテンツを記録媒体に記録再生する記録再生部とを有し、
前記記録再生部は、前記記録媒体に記録されたコンテンツの一部の区間の特殊再生を禁止することを特徴とする記録装置。
【請求項２】
コンテンツを入力するステップと、
前記入力されたコンテンツを記録媒体に記録再生するステップとを有し、
前記記録媒体に記録されたコンテンツの再生において、当該コンテンツの一部の区間の特殊再生を禁止することを特徴とする記録方法。